(57)【要約】【課題】  書籍を構成する紙を傷つけず、書籍からの抜け落ちを抑止する書籍用栞を提供する。又、一本又は複数本の紐を容易に着脱することができ、所望に応じて背表紙側に装飾を施すことによって贈答品にもなるプレミアム感のある書籍用栞を提供する。【解決手段】本の背表紙に架止される硬質材料によって形成された書籍用栞において、当該書籍用栞が本の背表紙に面接触又は複数の線接触によって接触する背部材と、本の頁間に刺し込まれる板状又は線状の栞部材と、前記背部材と栞部材とを本の上方にて梁渡して連接し得る上面部材とからなり、前記栞部材が背部材と平行するように垂直に下降する位置に配置されることを特徴とする書籍用栞である。【選択図】図１
2018020507.tif 000002
【特許請求の範囲】
【請求項１】
本の背表紙に架止される硬質材料によって形成された書籍用栞において、当該書籍用栞が本の背表紙に面接触又は複数の線接触によって接触する背部材と、本の頁間に刺し込まれる板状又は線状の栞部材と、前記背部材と栞部材とを本の上方にて梁渡して連接し得る上面部材とからなり、前記栞部材が背部材と平行するように垂直に下降する位置に配置されることを特徴とする書籍用栞。
【請求項２】
前記背部材の下端部が内側上方へ屈曲して折り返されて形成されており、前記上面部材の梁渡方向における両端又は片端が上方に屈曲して形成されていることを特徴とする請求項１に記載された書籍用栞。
【請求項３】
前記背部材の上方に本の頁間に挟まれる紐部材を固着する掛止部を有し、前記掛止部には当該掛止部における下方側が上方側に比較して広く開口するスリットが形成されおり、少なくとも前記開口部におけるスリットの下方側が前記紐部材を結ぶことにより形成される結び玉を挿入し得る間隔を有し、前記開口部におけるスリットの上方側が前記結び玉が通過できず紐部材の厚みのみが通過し得る間隙を有するように形成されていることを特徴とする請求項１又は２に記載された書籍用栞。
【発明の詳細な説明】
【技術分野】
【０００１】
この発明は、書籍の頁間に刺し込まれる栞に関するものである。特に背表紙を有する書籍に好適に用いられる栞に関するものである。
【背景技術】
【０００２】
現在、書籍における読みかけの頁の目印として栞が使用されている。汎用されている栞としては、製本段階で本の背表紙の上方に接着固定されている紐が知られている。しかし近年、背表紙の上方に紐を接着固定するためにかかる費用を節約するために、紐の装着されていない本が増えてきている。
そのため、紐の代替品として、紙、布、樹脂又は金属を薄く加工した長方形の栞が汎用されている。このような長方形の栞は、お土産用や民芸品の栞を除くと、書店で本を購入した際に無料配布されるものがほとんである。このような栞には、新刊本の紹介や、会社の宣伝広告用として製造されているものであり、贈答品としての価値やプレミアム感は存在しない。
又、このような長方形の栞には、本から抜け落ちるという問題があった。又、樹脂や金属製の栞の場合は、本を構成する紙を傷つけるといった問題画もあった。更に、長方形の栞は、読書中は本から除いて使用されることが多く、紛失する危険性もある。
【０００３】
そこで従来の紐や長方形の栞の問題点に鑑みて、種々の栞が発明されている。例えば、特許文献１や特許文献２には、クリップ状の栞が開示されている。又、特許文献３には、本に簡単に着脱して使用できる紐のついた栞が開示されている。
上記の栞は、いずれもプレミアム感があり、贈答品として利用可能な製品であり、従来の紐や長方形の栞の問題点を一部解消するものである。
しかしながら、クリップ状の栞は装着後に、書籍を構成する紙に凹凸状のクリップ跡が残ってしまうことが危惧される。又、これらの栞は、しっかり書籍の間に挟まる反面、栞を書籍から外す際に、外し難いという問題点も見受けられる。
更に、上記の栞には、書籍の頁間に紐を挟んで、読書を再開する際には、書籍の下側にはみ出している紐から、所望の頁を即座に開くという、従来の紐の効果が全く失われてしまうという問題点もある。
【先行技術文献】
【特許文献】
【０００４】
【特許文献１】実用新案登録第３０７７６４２号公報
【特許文献２】特開平５−３４５４９１号公報
【発明の概要】
【発明が解決しようとする課題】
【０００５】
本発明は、書籍を構成する紙を傷つけず、書籍からの抜け落ちを抑止する書籍用栞を提供することを目的とする。
又、本発明は、文庫本、新書版、ハードカバーの書籍等、背表紙のある製本されている本であれば種々の形態の書籍に対して使用することができる書籍用栞を提供することを目的とする。
又、本発明は、一本又は複数本の紐を容易に着脱することができ、所望に応じて背表紙側に装飾を施すことによって贈答品にもなるプレミアム感のある書籍用栞を提供することを目的とする。
更に本発明は、栞を書籍から外す際に、力を入れることなく容易に外すことができる書籍用栞を提供することを目的とする。
【課題を解決するための手段】
【０００６】
（１）本の背表紙に架止される硬質材料によって形成された書籍用栞において、当該書籍用栞が本の背表紙に面接触又は複数の線接触によって接触する背部材と、本の頁間に刺し込まれる板状又は線状の栞部材と、前記背部材と栞部材とを本の上方にて梁渡して連接し得る上面部材とからなり、前記栞部材が背部材と平行するように垂直に下降する位置に配置されることを特徴とする書籍用栞である。
（２）前記背部材の下端部が内側上方へ屈曲して折り返されて形成されており、前記上面部材の梁渡方向における両端又は片端が上方に屈曲して形成されていることを特徴とする請求項１に記載された書籍用栞である。
（３）前記背部材の上方に本の頁間に挟まれる紐部材を固着する掛止部を有し、前記掛止部には当該掛止部における下方側が上方側に比較して広く開口するスリットが形成されおり、少なくとも前記開口部におけるスリットの下方側が前記紐部材を結ぶことにより形成される結び玉を挿入し得る間隔を有し、前記開口部におけるスリットの上方側が前記結び玉が通過できず紐部材の厚みのみが通過し得る間隙を有するように形成されていることを特徴とする請求項１又は２に記載された書籍用栞である。
【発明の効果】
【０００７】
本発明に係る書籍用栞を使用することによって、書籍を構成する紙を傷つけず、書籍からの抜け落ちを抑止する効果を奏することができる。
又、本発明に係る書籍用栞を使用することによって、文庫本、新書版、ハードカバーの書籍等、背表紙のある製本されている本であれば種々の形態の書籍に対して使用し得るという効果を奏する。
又、本発明に係る書籍用栞を使用することによって、一本又は複数本の紐を容易に着脱することができ、所望に応じて背表紙側に装飾を施し贈答品としての付加価値をつけることができるという効果を奏する。
更に本発明に係る書籍用栞を使用することによって、栞を書籍から外す際に、力を入れることなく容易に外すことができるという優れた効果を奏する。
【図面の簡単な説明】
【０００８】
【図１】本発明の書籍用栞に係る実施形態１の構成を示す斜視図である。
【図２】本発明の書籍用栞に係る実施形態１の構成を示す図である。（ａ）は展開図、（ｂ）は正面側面、右側面図、平面図である。
【図３】本発明の書籍用栞に係る実施形態１の使用方法を説明するための斜視図である。
【図４】本発明の書籍用栞に係る実施形態２の構成を示す正面図と側面図である。
【発明を実施するための形態】
【０００９】
以下、本発明に係る書籍用栞について、詳細に説明する。本発明に係る書籍用栞は、背表紙のある書籍に使用される栞である。
本発明に係る書籍用栞は、本の背表紙に架止される硬質材料によって形成されている。
すなわち、書籍の背表紙の上部に掛止して使用される。本発明に係る書籍用栞は、硬質材料によって形成されている。ただし、一部に軟質材料を付加しても本発明の範囲である。
本発明にいう硬質材料は、金属・合金といった金属材料、炭素鋼・ステンレス鋼・含鉄合金、鋳鉄といった鋼鉄材料、アルミニウム・アルミニウム合金・ニッケル・ニッケル合金・マグネシウム・マグネシウム合金・銅・銅合金・黄銅、チタン・チタニウム合金といった非鉄金属材料、プラスチック、ゴム、木材といった非金属材料、繊維強化プラスチック・繊維強化金属・繊維強化セラミックス・炭素繊維強化炭素複合材料といった複合材料等が挙げられる。一定の強度、剛性、弾性、靭性、加工容易性、入手容易性といった特性を有し、定型性を有する固体であれば、広く使用することができる。
特に強度、剛性、弾性、加工容易性、入手容易性の観点からは、アルミニウム・アルミニウム合金、ステンレス鋼、銅、黄銅（特に真鍮）が好ましい。
【００１０】
本発明に係る書籍用栞は、本の背表紙に面接触又は複数の線接触によって接触する背部材を有する。ここで面接触とは、前記背部材の平面形状が、長方形、正方形、三角形、台形、前記以外の多角形、円形、半円形、楕円形等であれば良い。本の背表紙に密着するものであれば、特に形状を限定するものではない。
又、本発明における複数の線接触とは、例えば、線状のステンレス鋼を三角形状に屈曲形成した場合は、各辺が線接触している状態を表している。すなわち、三角形状の場合は、複数（３箇所）の線接触であることを意味する。例えば、四角形状に屈曲形成した場合は、複数（４箇所）の線接触であることを意味する。本の背表紙に安定して密着させる観点からは、一本の線を長方形、正方形、三角形、台形、円形、半円形、楕円形等に屈曲して形成したものが好ましい。
【００１１】
本発明に係る書籍用栞は、本の頁間に刺し込まれる板状又は線状の栞部材を有する。本発明に使用される栞部材は、平面形状が長方形、正方形、三角形、台形、前記以外の多角形、円形、半円形、楕円形等によって形成されるのが好ましい。かかる栞部材は、本の頁間に挟まれる部材であるため、相当の薄さで形成されるのが好ましい。例えば、書籍を閉じた時に、書籍を不自然に膨らませない観点からは、０．１ｍｍ〜１．０ｍｍの材料が好ましい。又、書籍用栞の強度及び頁に凹凸等の傷を付けない観点からは、０．３ｍｍ〜０．７ｍｍの材料が好ましい。
本発明に係る書籍用栞は、前記背部材と栞部材とを書籍の上方にて梁渡して連接する機能を有する上面部材を有している。すなわち、本発明における背部材と栞部材と上面部材とは、一体的に連続して形成されており、前記上面部材が背部材と栞部材の中間に位置し連接する機能を有している。又、書籍を書棚に立てて置いた場合、本発明に係る書籍用栞は、頁間に配置される背部材及び栞部材は垂直に下降する位置に配置されるが、上面部材は水平方向に配置される。すなわち水平部材は書籍の背表紙から頁にかけて、書籍の上面に配置される形で使用されることになる。
【００１２】
又、本発明に係る書籍用栞は、背部材の下端部が内側上方へ屈曲して折り返されて形成されているのが好ましい。背部材の下端部を屈曲させることによって、書籍の背表紙より背部材の下端部を浮かせることができる。このような構造を採用することによって、書籍から本発明に係る書籍用栞を外す際に、指が背部材の下端部に引っ掛けることができる。指を背部材の下端部に引っ掛けることによって、書籍用栞を本から力を入れることなく容易に外すことができるという効果を奏する。
又、本発明に係る書籍用栞は、上面部材の梁渡方向における両端又は片端が上方に屈曲して形成されていることが好ましい。
書籍の頁間に挟まっている栞は、本によって強固に把持されている場合がある。このような場合は、栞を外し難いという問題が発生する。本発明に係る書籍用栞は、上方へ屈曲した上面部材の両端又は方端を指で挟むことによって、上面部材の中央部分に発生する弾撥力によるバネ効果によって、指で挟んだ栞を引き上げ易くなる。
更に、本発明に係る書籍用栞は、背部材の上方に本の頁間に挟まれる紐部材を固着する掛止部を有する。このような掛止部には下方側が上方側に比較して広く開口するスリットが形成されいる。そして、開口部におけるスリットの下方側が前記紐部材を結ぶことにより形成される結び玉を挿入し得る間隔を有している。そのため、本発明に係る書籍用栞に紐部材を付設する場合は、紐部材の片端に結び玉を形勢し、上記スリットの下方側に挿入することができる。又、開口部におけるスリットの上方側は、結び玉が通過できず紐部材の厚みのみが通過し得る間隙を有するように形成されている。そのため、挿入した紐部材をスリットの上方へ引き上げることによって、紐部材が書籍用栞に固定され、使用を継続しても紐部材が抜け落ちることがないという効果を奏する。
【００１３】
以下、図面に則して本発明に係る書籍用栞の実施形態の一例を説明する。以下に示す実施形態は、あくまでも本発明の一例であって、本発明の技術的範囲を限定するものではない。
実施形態１
図１は、本発明の書籍用栞に係る実施形態１の構成を示す斜視図である。また図２は、本発明の書籍用栞に係る実施形態１の構成を示す正面図と側面図である。更に図３は、本発明の書籍用栞に係る実施形態１の使用方法を説明するための斜視図である。
図１に示す如く、本発明の実施形態１に係る書籍用栞１０は、図示しない本の背表紙に面によって接触する背部材１と、本の頁間に刺し込まれる板状の栞部材２と、前記背部材１と栞部材２とを本の上方にて梁渡して連接し得る上面部材４から形成されている。そして、図１に示す如く、前記栞部材２は、背部材１と平行するように垂直に下降する位置に配置される。
【００１４】
図１に示す如く、前記背部材１の下端部は、内側上方へ屈曲して折り返されている（符号７を参照）。又、前記上面部材４の梁渡方向における両端は、上方に屈曲して形成されている（符号８及び９参照）。又、本実施形態１に係る書籍用栞１０は、上面部材４の両端が上方へ屈曲しているため（符号８，９）、指でかかる屈曲を挟むことによって、上面部材４の中央部分に発生する弾撥力によるバネ効果によって、指で挟んだ書籍用栞１０を引き上げ易くなる。
図１に示す如く、本実施形態１に係る書籍用栞１０は、背部材１の上方に本の頁間に挟まれる図示しない紐部材を固着する掛止部１２を有している。図１に示す如く、掛止部１２は、下方側（符号１４参照）が上方側（符号１５参照）に比較して広く開口するスリットが形成されいる。すなわち、スリットの下方側（１４）は楕円形状にくり抜かれている。一方、スリットの上方側（１５）は筋状の切込みが形成されている。スリットにおける下方側（１４）は、図示しない紐部材を結ぶことにより形成される結び玉を挿入し得る大きさにくり抜かれている。一方、スリットの上方側（１５）は紐部材の厚みのみが通過し得る間隙に切込みが形成されている。このような構造を有することにより、挿入した紐部材をスリットの上方へ引き上げることによって、紐部材が書籍用栞に固定され、紐部材の抜け落ちを防止することができる。
【００１５】
図１に示す書籍用栞は、一枚の例えばステンレス鋼から型をくり抜く事によって製造することができる。例えば、０．５ｍｍ厚のステンレス鋼から図２（ａ）に示す形状をくり抜き加工する。図２（ａ）に示す寸法は、Ｌ１＝３０．０ｍｍ、Ｌ２＝８．５ｍｍ、Ｌ３＝１．５５ｍｍ、Ｌ４＝２．７ｍｍ、Ｌ５＝２．７ｍｍ、Ｌ６＝１．５ｍｍ、Ｌ７＝５．５ｍｍ、φ８＝φ３．０ｍｍ、Ｌ９＝５．０ｍｍ、Ｌ１０＝２．０ｍｍ、Ｌ１１＝７．０ｍｍ、Ｌ１２＝１．８ｍｍ、Ｌ１３＝０．８ｍｍ、Ｌ１４＝３６．０、Ｌ１５＝４．０ｍｍ、Ｌ１６＝０．８ｍｍ、Ｌ１７＝４．５ｍｍ、Ｌ１８＝０．８ｍｍである。因みに、符号１は背部材１、符号２は栞部材、符号４は上面部材を形成することになる。
図２（ｂ）は、加工後の書籍用栞１０を示す図である。左側より、正面図、右側面図、平面図である。図２（ｂ）に示す寸法は、Ｌ２０＝８．０ｍｍ、Ｌ２１＝３０．０ｍｍ、Ｌ２２＝２０．０ｍｍ、Ｌ２３＝５．０ｍｍ、Ｌ２４＝１０．０ｍｍ、Ｌ２５＝７．０ｍｍ、Ｌ２６＝０．５ｍｍ厚、Ｌ２７＝５．８ｍｍ、Ｌ２８＝４．０ｍｍ、Ｌ２９＝８．０ｍｍ、Ｌ３１＝７．０ｍｍ、Ｌ３２＝４．０ｍｍである。
【００１６】
図３は、本発明の書籍用栞１０に係る実施形態１の使用方法を説明するための斜視図である。
図３に示す如く、本発明の実施形態１に係る書籍用栞１０は、本２０の背表紙２１に面によって接触する背部材１と、本の頁間に刺し込まれている板状の栞部材（図３では頁間に挟まれて視認できない）と、前記背部材１と栞部材とを本の上方にて梁渡して連接し得る上面部材４から形成されている。
【００１７】
図３に示す如く、前記背部材１の下端部は、内側上方へ屈曲して折り返されている（符号７を参照）。又、前記上面部材４の梁渡方向における両端は、上方に屈曲して形成されている（符号８及び９参照）。従来の書籍用栞には、一度頁間に挟んだ栞を外し難いという問題があった。しかしながら、書２０から本実施形態１に係る書籍用栞１０を外す際に、指を背部材１の下端部の折り返し部（符号７）に引っ掛けることができる。そして、指を背部材１の下端部７に引っ掛けることによって、書籍用栞１０を本２０から容易に外すことができる。又、本実施形態１に係る書籍用栞１０は、上面部材４の両端が上方へ屈曲しているため（符号８，９）、指でかかる屈曲を挟むことによって、上面部材４の中央部分に発生する弾撥力によるバネ効果によって、指で挟んだ書籍用栞１０を引き上げ易くなる。例えば、親指を背部材１の下端部の折り返し部（７）に引っ掛け、同時に人差指と中指で上面部材４の両端の屈曲部（８，９）を挟むことによって、書籍用栞１０を本２０から力を入れることなく容易に外すことができる。
【００１８】
図３に示す如く、本実施形態１に係る書籍用栞１０は、背部材１の上方に本の頁間に挟まれる紐部材２２を固着する掛止部１２を有している。図３に示す如く、掛止部１２は、下方側（符号１４参照）が上方側（符号１５参照）に比較して広く開口するスリットが形成されている。すなわち、スリットの下方側（１４）は楕円形状にくり抜かれている。一方、スリットの上方側（１５）は筋状の切込みが形成されている。スリットにおける下方側（１４）は、図示しない紐部材２２を結ぶことにより形成される結び玉を挿入し得る大きさにくり抜かれている。一方、スリットの上方側（１５）は紐部材２２の厚みのみが通過し得る間隙に切込みが形成されている。このような構造を有することにより、挿入した紐部材２２をスリットの上方へ引き上げることによって、紐部材２２が書籍用栞に固定され、紐部材の抜け落ちを防止することができる。
【００１９】
実施形態２
図４は、本発明の書籍用栞に係る実施形態２の構成を示す斜視図である。
図４に示す如く、本発明の実施形態２に係る書籍用栞３０は、図示しない本の背表紙に面によって接触する背部材３１と、本の頁間に刺し込まれる棒状の栞部材３２と、前記背部材３１と栞部材３２とを本の上方にて梁渡して連接し得る上面部材３４から形成されている。線状の栞部材３２は、左側が下降する位置に配置され、線は下方は水平方向に、また線は左斜上方に行き、上方略中央部で折り返し、下方中央少し下まで加工内側へ円状に屈曲する。このような構成によって、背部材３１は、複数の線接触によって接触している。そして、図４に示す如く、前記栞部材３２は、背部材３１と平行するように垂直に下降する位置に配置される。
【００２０】
図４に示す如く、前記背部材３１の下端部は、内側上方へ屈曲して折り返されている（符号３７を参照）。又、前記上面部材３４の梁渡方向における両端は、上方に屈曲して形成されている（符号３８及び３９参照）。又、本実施形態２に係る書籍用栞３０は、上面部材３４の両端が上方へ屈曲しているため（符号３８，３９）、指でかかる屈曲を挟むことによって、上面部材３４の中央部分に発生する弾撥力によるバネ効果によって、指で挟んだ書籍用栞３０を引き上げ易くなる。
図４に示す如く、本実施形態２に係る書籍用栞３０は、背部材３１の上方に本の頁間に挟まれる図示しない紐部材を固着する掛止部１２を有している。図４に示す如く、掛止部４２は、下方側（符号４４参照）が上方側（符号４５参照）に比較して広く開口するスリットが形成されている。すなわち、スリットの下方側（４４）は楕円形状にくり抜かれている。一方、スリットの上方側（４５）は筋状の切込みが形成されている。スリットにおける下方側（４４）は、図示しない紐部材を結ぶことにより形成される結び玉を挿入し得る大きさにくり抜かれている。一方、スリットの上方側（４５）は紐部材の厚みのみが通過し得る間隙に切込みが形成されている。このような構造を有することにより、挿入した紐部材をスリットの上方へ引き上げることによって、紐部材が書籍用栞３０に固定され、紐部材の抜け落ちを防止することができる。
【００２１】
図４に示す書籍用栞３０は、加工後の書籍用栞３０を示す図である。左側より、正面図、右側面図、平面図である。図４に示す寸法は、Ｌ５０＝２７．５ｍｍ、Ｌ５１＝１．５ｍｍ、Ｌ５２＝１７．０ｍｍ、Ｌ５３＝９．０ｍｍ、Ｌ５４＝５．０ｍｍ、Ｌ５５＝７．５ｍｍ、Ｌ５６＝８．０ｍｍ、φ５７＝φ１７．０ｍｍ、Ｌ５８＝３．０ｍｍ、Ｌ５９＝２．０ｍｍ、Ｌ６０＝１０．０ｍｍ、Ｒ６２＝２．５、Ｌ６３＝２２．０、Ｌ６４＝３．０ｍｍ、Ｌ６５＝５．５ｍｍ、Ｌ６６＝４．０ｍｍ、Ｌ６７＝６．０ｍｍ，φ６８＝８．０ｍｍ、Ｌ６９＝１．８ｍｍ、Ｌ７０＝１１．８ｍｍである。因みに、符号３１は背部材、符号３２は栞部材、符号３４は上面部材を形成することになる。
【符号の説明】
【００２２】
１，３１    背部材
２，３２    栞部材
４，３４    上面部材
１０，３０  書籍用栞
【図１】
2018020507.tif 000003
【図２】
2018020507.tif 000004
【図３】
2018020507.tif 000005
【図４】
2018020507.tif 000006